(57)【要約】【課題】新たなコンテンツに関連するユーザの選定の容易化を図ること。【解決手段】情報処理装置１００は、コンテンツに関する情報として、新たに作成される動画に関する情報１３０を受け付ける。情報処理装置１００は、記憶部１０１を参照して、受け付けた情報１３０と類似するコンテンツ情報１１１−１に対応づけられたコンテンツを特定する。情報処理装置１００は、記憶部１０１を参照して、特定したコンテンツに対する履歴情報１２１−１〜１２１−３までを取得する。情報処理装置１００は、履歴情報１２１−１〜１２１−３のうち、作成能力のフィールドに「作れる」が設定されている履歴情報１２１−１，１２１−２を抽出する。情報処理装置１００は、抽出した履歴情報１２１−１，１２１−２のユーザ名「Ｘ氏」、「Ｙ氏」を撮影協力候補者一覧として出力する。【選択図】図１
2018072955.tif 000002
【特許請求の範囲】
【請求項１】
コンテンツに対応づけてコンテンツに関する情報と、該コンテンツに対するアクセス履歴情報及び／又はフラグ情報とを記憶部に記憶させ、
コンテンツに関する情報の入力を受け付け、
前記記憶部を参照して、受け付けた前記コンテンツに関する情報と類似するコンテンツに関する情報と対応づけられたコンテンツを特定して、特定した該コンテンツに対するアクセス履歴情報及び／又はフラグ情報を前記記憶部から取得し、
取得した前記アクセス履歴情報及び／又はフラグ情報に基づいてアクセス元又はフラグ設定元のユーザ又は装置に関する情報を出力する、
処理をコンピュータに実行させることを特徴とする抽出プログラム。
【請求項２】
前記アクセス履歴情報は、前記コンテンツに対するアクセス元のユーザ又は装置に関する情報を含み、
前記フラグ情報は、前記コンテンツに対するフラグ設定元のユーザ又は装置に関する情報を含み、
前記アクセス元又はフラグ設定元のユーザ又は装置に関する情報を出力する処理では、
取得した前記アクセス履歴情報に含まれるアクセス元のユーザ又は装置に関する情報及び／又は取得した前記フラグ情報に含まれる前記アクセス元又はフラグ設定元のユーザ又は装置に関する情報を、所定の条件に基づく順序で出力する、
ことを特徴とする請求項１に記載の抽出プログラム。
【請求項３】
前記アクセス履歴情報は、前記アクセス元のユーザ又は装置の位置を示す位置情報を含み、
前記フラグ情報は、前記設定元のユーザ又は装置の位置を示す位置情報を含み、
受け付けた前記コンテンツに関する情報は、コンテンツの生成に関する位置を示す位置情報を含み、
前記コンピュータに、
取得した前記アクセス履歴情報及び／フラグ情報のうち、受け付けた前記コンテンツに関する情報に含まれる位置情報が示す位置と同じ位置、または前記位置情報が示す位置の近傍を示す位置情報を有する前記アクセス履歴情報及び／又はフラグ情報を抽出し、
抽出した前記アクセス履歴情報及び／又はフラグ情報に基づいて、前記アクセス元又はフラグ設定元のユーザ又は装置に関する情報を出力する、
処理を実行させることを特徴とする請求項１又は２に記載の抽出プログラム。
【請求項４】
前記記憶部には、
前記ユーザ又は前記ユーザの装置に関する情報と、前記ユーザの所属先に関する情報と、が対応づけられて記憶され、
前記コンピュータに、
前記記憶部を参照して、前記アクセス元又はフラグ設定元のユーザ又は装置に関する情報に対応づけられた所属先に関する情報と同一の所属先に関する情報に対応づけられた前記ユーザ又は前記ユーザの装置に関する情報を抽出する、
処理を実行させ、
前記アクセス元又はフラグ設定元のユーザ又は装置に関する情報を出力する処理では、
さらに、抽出した前記ユーザ又は前記ユーザの装置に関する情報を出力する、
ことを特徴とする請求項１〜３のいずれか一つに記載の抽出プログラム。
【請求項５】
前記記憶部には、
前記ユーザ又は前記ユーザの装置に関する情報と、前記ユーザの所属先に関する情報と、前記所属先における前記ユーザの役職に関する情報と、が対応づけられて記憶され、
前記ユーザ又はユーザの装置に関する情報を抽出する処理では、
前記同一の所属先に関する情報に対応づけられた前記ユーザ又は前記ユーザの装置に関する情報のうち、所定の役職に関する情報に対応づけられた前記ユーザ又は前記ユーザの装置に関する情報を抽出することを特徴とする請求項４に記載の抽出プログラム。
【請求項６】
前記記憶部には、
前記コンテンツに関する情報に対応するコンテンツに関係する前記ユーザ又は前記ユーザの装置に関する情報と、前記ユーザによる前記コンテンツの活用の有無を示す活用情報とが対応づけられて記憶され、
前記コンテンツに関する情報と、前記コンテンツに関係する前記ユーザ又は装置に関する情報とは関連付けられ、
前記コンピュータに、
前記記憶部を参照して、特定した前記コンテンツに対応する前記コンテンツに関する情報に関連付けられたユーザ又は装置に関する情報のうち、特定した前記コンテンツを活用していることを示す活用情報に対応づけられた前記ユーザ又は装置に関する情報を抽出する、
処理を実行させ、
前記アクセス元又はフラグ設定元のユーザ又は装置に関する情報を出力する処理では、
さらに、抽出した前記ユーザ又は装置に関する情報を出力する、
ことを特徴とする請求項１〜５のいずれか一つに記載の抽出プログラム。
【請求項７】
コンテンツに対応づけてコンテンツに関する情報と、該コンテンツに対するアクセス履歴情報及び／又はフラグ情報とを記憶部に記憶させ、
コンテンツに関する情報の入力を受け付け、
前記記憶部を参照して、受け付けた前記コンテンツに関する情報と類似するコンテンツに関する情報と対応づけられたコンテンツを特定して、特定した該コンテンツに対するアクセス履歴情報及び／又はフラグ情報を前記記憶部から取得し、
取得した前記アクセス履歴情報及び／又はフラグ情報に基づいてアクセス元又はフラグ設定元のユーザ又は装置に関する情報を出力する、
処理をコンピュータに実行させることを特徴とする抽出方法。
【請求項８】
コンテンツに対応づけてコンテンツに関する情報と、該コンテンツに対するアクセス履歴情報及び／又はフラグ情報とを記憶部にアクセス可能な情報処理装置であって、
コンテンツに関する情報の入力を受け付け、
前記記憶部を参照して、受け付けた前記コンテンツに関する情報と類似するコンテンツに関する情報と対応づけられたコンテンツを特定して、特定した該コンテンツに対するアクセス履歴情報及び／又はフラグ情報を前記記憶部から取得し、
取得した前記アクセス履歴情報及び／又はフラグ情報に基づいてアクセス元又はフラグ設定元のユーザ又は装置に関する情報を出力する、
処理を実行する制御部を有することを特徴とする情報処理装置。
【発明の詳細な説明】
【技術分野】
【０００１】
本発明は、抽出プログラム、抽出方法、及び情報処理装置に関する。
【背景技術】
【０００２】
従来、Ｗｅｂシステム上で、ユーザのコンピュータに対してネットワークを通じて、動画、音楽、画像、記事などのコンテンツを提供するＷｅｂサーバと呼ばれる技術がある。また、従来、学校内、社内、団体などに所属する人材の人材データベースを管理するシステムがある。システムは、例えば、人材を募集する際に、募集条件に適合した人材を検索するなどに用いられる。
【０００３】
先行技術としては、例えば、社内公募において、人材募集条件に適合した人材を、人事情報データベースとコンピテンシーデータベースから抽出し、抽出した人材に案内を送る技術がある（例えば、以下特許文献１参照。）。
【０００４】
また、先行技術としては、例えば、人材スカウトにおいて、人材スカウトの目的を入力すると、候補者データベースに記憶された関連情報に従って見込みのある候補者を検索する技術がある（例えば、以下特許文献２参照。）。
【０００５】
また、先行技術としては、例えば、個人検索システムにおいて、レビューを依頼する個人の検索要求を受け付けると、過去のレビューに関する蓄積文書の履歴データに基づき候補者の指標値を算出して候補者をランク付けする技術がある（例えば、以下特許文献３参照。）。
【先行技術文献】
【特許文献】
【０００６】
【特許文献１】特開２００３−３３７８７７号公報
【特許文献２】特開２００２−９９７７４号公報
【特許文献３】特開２０１０−６１１８３号公報
【発明の概要】
【発明が解決しようとする課題】
【０００７】
しかしながら、従来、人材データベースを管理するシステムは、新たにコンテンツが作成される際に、複数のユーザから新たなコンテンツに関連するユーザを選定することは困難である。例えば、システムは、どのようなユーザが新たなコンテンツの作成の支援を行うことができるかを判断することは困難である。また、例えば、システムは、各ユーザに個人的な属性や希望を人材データベースなどに登録させることは困難である。
【０００８】
１つの側面では、本発明は、新たなコンテンツに関連するユーザの選定の容易化を図ることができる抽出プログラム、抽出方法、及び情報処理装置を提供することを目的とする。
【課題を解決するための手段】
【０００９】
１つの実施態様では、コンテンツに対応づけてコンテンツに関する情報と、該コンテンツに対するアクセス履歴情報及び／又はフラグ情報とを記憶部に記憶させ、コンテンツに関する情報の入力を受け付け、前記記憶部を参照して、受け付けた前記コンテンツに関する情報と類似するコンテンツに関する情報と対応づけられたコンテンツを特定して、特定した該コンテンツに対するアクセス履歴情報及び／又はフラグ情報を前記記憶部から取得し、取得した前記アクセス履歴情報及び／又はフラグ情報に基づいてアクセス元又はフラグ設定元のユーザ又は装置に関する情報を出力する処理をコンピュータに実行させる抽出プログラム、抽出方法、及び情報処理装置が提案される。
【発明の効果】
【００１０】
一態様によれば、新たなコンテンツに関連するユーザの選定の容易化を図ることができる。
【図面の簡単な説明】
【００１１】
【図１】図１は、情報処理装置による一動作例を示す説明図である。
【図２】図２は、システム例を示す説明図である。
【図３】図３は、端末装置のハードウェア構成例を示すブロック図である。
【図４】図４は、サーバのハードウェア構成例を示すブロック図である。
【図５】図５は、取材記事ＤＢ例を示す説明図である。
【図６】図６は、取材記事アクセス履歴ＤＢ例を示す説明図である。
【図７】図７は、取材先情報ＤＢ例を示す説明図である。
【図８】図８は、エリアＩＰアドレスＤＢ例を示す説明図である。
【図９】図９は、部門情報ＤＢ例を示す説明図である。
【図１０】図１０は、フィードバック情報ＤＢ例を示す説明図である。
【図１１】図１１は、所定の条件情報例を示す説明図である。
【図１２】図１２は、端末装置の機能的構成例を示すブロック図である。
【図１３】図１３は、取材同行候補者の出力例を示す説明図である。
【図１４】図１４は、端末装置が行う処理手順例を示すフローチャートである。
【図１５】図１５は、端末装置による抽出及び出力処理手順例１を示すフローチャートである。
【図１６】図１６は、端末装置による抽出及び出力処理手順例２を示すフローチャートである。
【図１７】図１７は、端末装置による抽出及び出力処理手順例３を示すフローチャートである。
【発明を実施するための形態】
【００１２】
以下に添付図面を参照して、本発明にかかる抽出プログラム、抽出方法、及び情報処理装置の実施の形態を詳細に説明する。
【００１３】
図１は、情報処理装置による一動作例を示す説明図である。情報処理装置１００は、コンテンツに関連するユーザの選定を支援するコンピュータである。コンテンツは、例えば、Ｗｅｂサーバなどによって提供される。情報処理装置１００は、パーソナル・コンピュータであってもよいし、サーバなどであってもよい。
【００１４】
従来、コンテンツの製作者は、新たなコンテンツを作成する際に、コンテンツの作成を支援する協力者などの人材を募る場合がある。人材の選定者は、例えば、属人的なネットワークに基づいて人材を探す。又は、人材データベースを管理するシステムが、人材の選定者が操作可能なコンピュータからの指示に応じて、人材データベースから人材を検索する。
【００１５】
しかし、従来、選定者やシステムは、新たなコンテンツに関連するユーザを選定することは困難である。選定者やシステムは、どのような技術を有するユーザを選定すればコンテンツの作成を支援することができるかを判断することは難しい。また、システムは、人材データベースなどに各ユーザに個人的な属性や希望を登録させることは困難である。
【００１６】
そこで、本実施の形態では、新たなコンテンツに関する情報に類似したコンテンツに関する情報に対応する過去のコンテンツに対するアクセス履歴情報又は／及びフラグ情報に基づいて、ユーザの情報を出力する。これにより、情報処理装置１００は、新たなコンテンツに関連するユーザの候補を特定でき、新たなコンテンツに関連するユーザの選定の容易化を図ることができる。また、情報処理装置１００は、新たなコンテンツを作成する前に各ユーザに個人的な属性や希望などをシステムに登録してもらう手間を省くことができる。
【００１７】
情報処理装置１００による詳細な処理の説明を行う。記憶部１０１は、例えば、コンテンツに対応づけてコンテンツに関する情報と、コンテンツに対するアクセス履歴情報及び／又はフラグ情報とを記憶する。記憶部１０１は、例えば、不揮発性メモリやディスクなどによって実現される。記憶部１０１は、情報処理装置１００に含まれていてもよいし、情報処理装置１００がアクセス可能な他の装置に含まれていてもよい。
【００１８】
コンテンツとは、例えば著作物である。コンテンツとしては、例えば、記事などの文字列、音楽、動画、アプリケーションプログラムなどが挙げられる。コンテンツが記事であれば、コンテンツに関する情報としては、例えば、コンテンツ制作のための取材日、取材テーマ、取材内容、記事の公開日、取材担当者、記事作成者などを示す情報が挙げられる。コンテンツが音楽であれば、コンテンツに関する情報としては、例えば、タイトル、作詞者、作曲者、ジャンル、音楽の発売日、曲の長さなどを示す情報が挙げられる。また、コンテンツが動画であれば、コンテンツに関する情報としては、例えば、作成者、ジャンル、タイトル、配信日、動画の長さなどを示す情報が挙げられる。コンテンツがアプリケーションプログラムであれば、コンテンツに関する情報としては、例えば、アプリ名、作成者や作成会社、ジャンル、配信日などを示す情報が挙げられる。
【００１９】
図１では、コンテンツとして動画を例に挙げる。そして、選定者は、複数のユーザから撮影協力者を選定する例について説明する。図１では、コンテンツに関する情報はコンテンツ情報１１１とし、コンテンツ情報１１１はコンテンツ情報ＤＢ（Ｄａｔａｂａｓｅ）１１０に登録される。コンテンツ情報１１１は、例えば、動画名と、動画内容と、撮影者と、を対応づけた情報である。コンテンツ情報ＤＢ１１０は、記憶部１０１に記憶される。
【００２０】
また、アクセス履歴情報は、コンテンツに対するユーザ又は装置によるアクセスの履歴を示す。アクセス履歴情報は、例えば、ユーザ又は装置の識別情報と、アクセス日時やアクセス回数などと、を対応づけた情報である。フラグ情報は、コンテンツに対するフラグを示す。フラグ情報は、例えば、ユーザ又は装置の識別情報と、フラグと、を対応づけた情報である。
【００２１】
図１では、コンテンツに対するアクセス履歴情報とフラグ情報との組み合わせを履歴情報１２１とし、履歴情報１２１は、履歴ＤＢ１２０に登録される。履歴ＤＢ１２０は、記憶部１０１に記憶される。例えば、履歴ＤＢ１２０には、動画名と、ユーザ名と、アクセス日と、作成能力と、の各フィールドに情報が設定されることにより、履歴情報１２１がレコードとして記憶される。動画名のフィールドには、動画の識別情報が設定される。ユーザ名のフィールドには、ユーザの識別情報が設定される。図１では、ユーザの識別情報として、ユーザの名前がユーザ名のフィールドに設定されているが、これに限らない。また、履歴ＤＢ１２０は、ユーザの識別情報の代わりに装置の識別情報を設定可能なフィールドが設けられていてもよい。アクセス日のフィールドには、動画にユーザがアクセスした最終の日付が設定される。作成能力のフィールドには、フラグの値が設定される。作成能力のフィールドには、例えば、ユーザが動画で紹介された料理を作れるか否かを示す情報が設定される。作成能力のフィールドに「作れる」が設定されると、ユーザが動画で紹介された料理を作れることを示す。
【００２２】
ここで、履歴ＤＢ１２０におけるアクセス履歴情報は、例えば、ユーザ名のフィールドに設定される情報とアクセス日のフィールドに設定される情報とである。履歴ＤＢ１２０におけるフラグ情報は、例えば、ユーザ名のフィールドに設定される情報と作成能力のフィールドに設定される情報とである。
【００２３】
まず、情報処理装置１００は、コンテンツに関する情報を受け付ける。図１では、受け付けるコンテンツに関する情報は、例えば、新たに作成される動画に関する情報１３０である。図１では、情報１３０には、動画名「□□□」、動画内容「○○料理をアレンジ」、撮影者「Ａ氏」が含まれる。
【００２４】
情報処理装置１００は、例えば、記憶部１０１を参照して、受け付けたコンテンツに関する情報と類似するコンテンツに関する情報と対応づけられたコンテンツを特定する。具体的には、情報処理装置１００は、例えば、コンテンツ情報ＤＢ１１０を参照して、情報１３０に類似するコンテンツ情報１１１を特定する。より具体的には、情報処理装置１００は、情報１３０に含まれる文字列の一部又は全部を有するコンテンツ情報１１１を特定する。例えば、コンテンツ情報１１１−１には、情報１３０に含まれる動画内容の「○○料理」が動画内容のフィールドに含まれる。コンテンツ情報１１１−１には、情報１３０に含まれる撮影者「Ａ氏」が撮影者のフィールドに含まれる。情報処理装置１００は、コンテンツ情報１１１−１に対応づけられたコンテンツを特定する。コンテンツ情報１１１−１に対応づけられたコンテンツは、動画名「○○○」の動画である。
【００２５】
つぎに、情報処理装置１００は、特定したコンテンツに対するアクセス履歴情報及び／又はフラグ情報を記憶部１０１から取得する。具体的には、情報処理装置１００は、例えば、履歴ＤＢ１２０から、動画名「○○○」を有する履歴情報１２１を取得する。図１の例では、情報処理装置１００は、履歴情報１２１−１〜１２１−３までを取得する。
【００２６】
そして、情報処理装置１００は、取得したアクセス履歴情報及び／又はフラグ情報に基づいてアクセス元又はフラグ設定元のユーザ又は装置に関する情報を出力する。記憶部１０１にアクセス履歴情報が記憶されている場合、情報処理装置１００は、例えば、アクセス元のユーザ又は装置に関する情報を出力する。記憶部１０１にフラグ情報が記憶されている場合、情報処理装置１００は、例えば、フラグ設定元のユーザ又は装置に関する情報を出力する。図１の例では、アクセス履歴情報及びフラグ情報を記憶しているため、アクセス元のユーザ又は装置に関する情報と、フラグ設定元のユーザ又は装置に関する情報とは同じである。
【００２７】
ユーザに関する情報とは、例えば、ユーザの識別情報などが挙げられる。ユーザの識別情報としては、例えば、ユーザ名、社員番号や学生番号、ｅメールアドレスなどのユーザを特定可能な情報である。装置に関する情報とは、例えば、装置の識別情報などが挙げられる。装置の識別情報としては、例えば、ＩＰ（Ｉｎｔｅｒｎｅｔ  Ｐｒｏｔｏｃｏｌ）アドレス、ｅメールアドレス、ＭＡＣ（Ｍｅｄｉａ  Ａｃｃｅｓｓ  Ｃｏｎｔｒｏｌ  Ａｄｄｒｅｓｓ）アドレス、装置の製造番号などが挙げられる。
【００２８】
図１の例では、情報処理装置１００は、履歴情報１２１−１〜１２１−３のうち、作成能力のフィールドに「作れる」が設定されている履歴情報１２１−１，１２１−２を抽出する。そして、情報処理装置１００は、抽出した履歴情報１２１−１，１２１−２のユーザ名「Ｘ氏」、「Ｙ氏」を撮影協力候補者一覧として出力する。図１の例では、選定者による撮影協力者の選定の容易化を図ることができる。
【００２９】
図２は、システム例を示す説明図である。実施の形態では、システム２００としては、社内システムを例に挙げて説明する。
【００３０】
システム２００は、例えば編集部の端末装置２０１と、社内人材Ａ〜Ｃのそれぞれ端末装置２０２−１〜２０１−３と、サーバ２１１と、を有する。端末装置２０１は、編集部の人材が操作可能な装置であり、図１に示した情報処理装置１００である。社内人材の端末装置２０２は、社内人材（ユーザ）が操作可能な装置である。図２の例では、端末装置２０２は、３台であるが、複数台であれば特に限定しない。サーバ２１１は、各種ＤＢを管理する。サーバ２１１は、例えば、Ｗｅｂサーバそのもの又はＷｅｂサーバが管理可能なデータベースサーバである。
【００３１】
本実施の形態では、編集部が取材を行い、端末装置２０１は、編集部の人材の操作によって、取材内容を基に作成された記事をサーバ２１１に登録する。ここで、取材内容を基に作成された記事を取材記事とも称する。そして、サーバ２１１は、取材記事をＷｅｂページなどで公開する。端末装置２０１は、ユーザの操作に応じてサーバ２１１によって公開された取材記事にアクセスする。取材記事としては、例えば、社会課題を抱える人に対する取材記事や社会課題を解決しようと活動している人に対する取材記事などが挙げられる。
【００３２】
本実施の形態では、システム２００は、例えば編集部の人材が取材を行う際に、社内の人材から取材に同行する取材同行候補者を選定する仕組みを提供する。編集部の人材は、例えば、取材同行候補者から取材同行者を選定する選定者である。また、編集部は、例えば、取材を通じて社会課題を抱える人や社会課題を解決しようと活動している人と共に、社会課題に対して商品やサービスなどを創ることが可能な人材を取材同行候補者として選定したいことを前提とする。共に商品やサービスなどを創ることを省略して「共創」とも称する。
【００３３】
また、システム２００は、以下のような仕組みを有する。例えば、端末装置２０２が、社内人材の操作によってサーバ２１１から取材記事にアクセスすると、サーバ２１１には、端末装置２０２からのアクセス履歴が記録される。アクセス履歴の記録例については、後述する図６などに示す。また、サーバ２１１は、取材記事と、取材記事に関連する取材記事と、を関連付けておく。これにより、社内人材は、例えば、取材記事を読んで取材記事に興味があれば、端末装置２０２を操作して、取材記事に関連する取材記事も参照することができる。
【００３４】
また、システム２００は、例えば、取材記事に関連する社会課題を解決するための取り組みに参加したい社内の人材からの希望を募る仕組みを提供する。サーバ２１１は、端末装置２０２に取材記事を公開する画面上に、取材記事に関連する社会課題を解決するための取り組みに参加したい旨を通知するための「コラボ希望」ボタンなどを設けてもよい。社内人材は、端末装置２０２によって「コラボ希望」ボタンを押下することにより、取材記事に関連する社会課題を解決するための取り組みに参加したい旨（コラボ希望）をサーバ２１１に通知することができる。サーバ２１１は、コラボ希望を受け付けると、データベースに参加したいことを示す情報を登録する。サーバ２１１がコラボ希望を登録する仕組みは、後述する図６などに示す。また、システム２００は、コラボ希望が登録された社内人材の端末装置２０２に対して、社会課題を解決するための取り組みに関するＳＮＳ（Ｓｏｃｉａｌ  Ｎｅｔｗｏｒｋｉｎｇ  Ｓｅｒｖｉｃｅ）への招待を通知するような仕組みを有していてもよい。
【００３５】
本実施の形態では、システム２００は、アクセス履歴と、コラボ希望との両方を登録する仕組みを有する例を挙げるが、少なくともいずれか一方を登録する仕組みを有していればよい。
【００３６】
また、上述したように、編集部の端末装置２０１は、新たに取材が決定した場合に、編集部の人材の操作に応じて取材先情報をシステム２００に登録する。そして、端末装置２０１は、アクセス履歴情報やコラボ希望情報などに基づいて、登録された社内人材から、取材同行候補者を選定する。また、端末装置２０１は、取材同行候補者からの取材への同行の希望又は辞退を受け付けてもよい。また、編集部の人材は、端末装置２０１によって選定された取材同行候補者のリストから取材同行者を決定してもよい。
【００３７】
また、本実施の形態では、取材記事を参照するユーザとして社内人材を一例に挙げているが、これに限らない。ユーザとしては、学校内や団体などの人材であってもよいし、社外人材などであってもよい。なお、ユーザの端末装置２０２が、サーバ２１１にアクセスして取材記事を参照可能であり、端末装置２０１が、ユーザ又はユーザの端末装置２０２を識別可能でれば、ユーザは特に限定しない。
【００３８】
また、図２では、端末装置２０１とサーバ２１１とを異なる装置としているが、これに限らず、一つのサーバなどの装置として実現してもよい。また、図２の例では、端末装置２０１は１台であるが、複数台であってもよい。また、例えば編集部の人材も社内人材であるため、端末装置２０１と、端末装置２０２のうちのいずれかの装置と、が同一の装置であってもよい。
【００３９】
（各端末装置のハードウェア構成例）
つぎに、図３を用いて、図２に示したシステム２００に含まれる編集部の端末装置２０１や社内人材の端末装置２０２などのハードウェア構成例について説明する。以下ハードウェア構成の説明のために、編集部の端末装置２０１や社内人材の端末装置２０２などの任意の端末装置を端末装置２０ｉ（ｉ＝１、２）と表記する場合がある。
【００４０】
図３は、端末装置のハードウェア構成例を示すブロック図である。端末装置２０ｉは、ＣＰＵ（Ｃｅｎｔｒａｌ  Ｐｒｏｃｅｓｓｉｎｇ  Ｕｎｉｔ）３０１と、ＲＯＭ（Ｒｅａｄ  Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、ディスクドライブ３０４と、ディスク３０５と、を有する。端末装置２０ｉは、Ｉ／Ｆ（Ｉｎｔｅｒ／Ｆａｃｅ）３０６と、キーボード３０７と、マウス３０８と、ディスプレイ３０９と、を有する。また、ＣＰＵ３０１と、ＲＯＭ３０２と、ＲＡＭ３０３と、ディスクドライブ３０４と、Ｉ／Ｆ３０６と、キーボード３０７と、マウス３０８と、ディスプレイ３０９とは、バス３００によってそれぞれ接続される。
【００４１】
ここで、ＣＰＵ３０１は、端末装置２０ｉの全体の制御を司る。ＲＯＭ３０２は、ブートプログラムなどのプログラムを記憶する。ＲＡＭ３０３は、ＣＰＵ３０１のワークエリアとして使用される。ディスクドライブ３０４は、ＣＰＵ３０１の制御にしたがってディスク３０５に対するデータのリード／ライトを制御する。ディスク３０５は、ディスクドライブ３０４の制御で書き込まれたデータを記憶する。ディスク３０５としては、磁気ディスク、光ディスクなどが挙げられる。
【００４２】
Ｉ／Ｆ３０６は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどのネットワーク２１０に接続され、このネットワーク２１０を介して他の装置（サーバ２１１など）に接続される。そして、Ｉ／Ｆ３０６は、ネットワーク２１０と内部のインターフェースを司り、外部装置からのデータの入出力を制御する。Ｉ／Ｆ３０６には、例えばモデムやＬＡＮアダプタなどを採用することができる。
【００４３】
キーボード３０７やマウス３０８は、ユーザの操作により、各種データの入力を受け付けるインターフェースである。ディスプレイ３０９は、ＣＰＵ３０１の指示により、データを出力するインターフェースである。
【００４４】
また、図示を省略するが、端末装置２０ｉには、カメラから画像や動画を取り込む入力装置やマイクから音声を取り込む入力装置が設けられていてもよい。また、図示を省略するが、端末装置２０ｉには、プリンタなどの出力装置が設けられていてもよい。また、端末装置２０１は、上述したハードウェア構成部のほか、例えば、ＳＳＤ（Ｓｏｌｉｄ  Ｓｔａｔｅ  Ｄｒｉｖｅ）、半導体メモリなどを有していてもよい。
【００４５】
また、本実施の形態では、端末装置２０ｉのハードウェア構成として、パーソナル・コンピュータを例に挙げているが、これに限らず、サーバなどであってもよい。端末装置２０ｉがサーバである場合、端末装置２０ｉと、ユーザが操作可能な装置やディスプレイ３０９などと、がネットワーク２１０を介して接続されてもよい。
【００４６】
（サーバ２１１のハードウェア構成例）
つぎに、図４を用いて、図２に示したシステム２００に含まれるサーバ２１１のハードウェア構成例について説明する。
【００４７】
図４は、サーバのハードウェア構成例を示すブロック図である。図４において、サーバ２１１は、ＣＰＵ４０１と、ＲＯＭ４０２と、ＲＡＭ４０３と、ディスクドライブ４０４と、ディスク４０５と、を有する。また、ＣＰＵ４０１と、ＲＯＭ４０２と、ＲＡＭ４０３と、ディスクドライブ４０４と、Ｉ／Ｆ４０６とは、バス４００によってそれぞれ接続される。
【００４８】
ここで、ＣＰＵ４０１は、サーバ２１１の全体の制御を司る。ＲＯＭ４０２は、ブートプログラムなどのプログラムを記憶する。ＲＡＭ４０３は、ＣＰＵ４０１のワークエリアとして使用される。ディスクドライブ４０４は、ＣＰＵ４０１の制御にしたがってディスク４０５に対するデータのリード／ライトを制御する。ディスク４０５は、ディスクドライブ４０４の制御で書き込まれたデータを記憶する。ディスク４０５としては、磁気ディスク、光ディスクなどが挙げられる。
【００４９】
Ｉ／Ｆ４０６は、通信回線を通じてＬＡＮ、ＷＡＮ、インターネットなどのネットワーク２１０に接続され、このネットワーク２１０を介して他の装置に接続される。そして、Ｉ／Ｆ４０６は、ネットワーク２１０と内部のインターフェースを司り、外部装置からのデータの入出力を制御する。Ｉ／Ｆ４０６には、例えばモデムやＬＡＮアダプタなどを採用することができる。
【００５０】
図示省略するが、サーバ２１１は、例えば、ユーザの操作により、各種データの入力を行うインターフェースであるキーボードやマウスなどを有していてもよい。また、サーバ２１１は、ＣＰＵ４０１の指示により、データを出力するインターフェースであるディスプレイなどの出力装置を有していてもよい。サーバ２１１は、カメラから画像や動画を取り込む入力装置やマイクから音声を取り込む入力装置を有していてもよい。また、サーバ２１１は、上述したハードウェア構成部のほか、例えば、ＳＳＤ、半導体メモリなどを有していてもよい。
【００５１】
（各種ＤＢ等の記憶内容）
つぎに、サーバ２１１が有する各種ＤＢ等の記憶内容について説明する。各種ＤＢ等は、例えば、図４に示したサーバ２１１のＲＯＭ４０２やディスク４０５、不揮発性の半導体メモリ（図示省略）などの記憶部により実現される。
【００５２】
図５は、取材記事ＤＢ例を示す説明図である。取材記事ＤＢ５００は、取材記事別に、取材記事に関する情報が登録される。取材記事ＤＢ５００は、記事番号、取材番号、記事タイトル、記事本文、関連記事番号のフィールドを有する。取材記事ＤＢ５００には、各フィールドに情報が設定されることにより、取材情報（５０１−１〜５０１−３など）がレコードとして記憶される。
【００５３】
記事番号のフィールドには、取材記事の識別情報が設定される。取材番号のフィールドには、取材の識別情報が設定される。記事タイトルは、取材記事の題名である。記事タイトルは、例えば、Ｗｅｂブラウザのタイトルバーに表示される。記事本文のフィールドには、様々な分野における、現象、存在、状況などを伝えるための文章が設定される。記事本文は、例えば、Ｗｅｂページの詳細に表示される。関連記事番号のフィールドには、取材記事に関連する取材記事の識別情報が設定される。
【００５４】
図６は、取材記事アクセス履歴ＤＢ例を示す説明図である。取材記事アクセス履歴ＤＢ６００は、取材記事に対するアクセスの履歴やコラボ希望が登録される。これにより、システム２００は、社内人材の属性情報を得ることができる。取材記事アクセス履歴ＤＢは、記事番号、アクセス者、アクセス者所属、最終アクセス日時、最終アクセス元ＩＰアドレス、総滞在時間、アクセス回数、コラボ希望、関連記事アクセスのフィールドを有する。取材記事アクセス履歴ＤＢ６００は、各フィールドに情報が設定されることにより、履歴情報（６０１−１〜６０１−６など）がレコードとして記憶される。
【００５５】
記事番号のフィールドには、取材記事の識別情報が設定される。取材記事アクセス履歴ＤＢ６００は、記事番号によって取材記事ＤＢ５００に関連付けられる。アクセス者のフィールドには、記事番号が示す取材記事へのアクセスを行ったアクセス元の識別情報やフラグ情報を設定した設定元の識別情報が設定される。図６の例では、アクセス元の識別情報は、例えば、アクセス元の端末装置２０２を利用するユーザの氏名情報であるが、これに限らず、アクセス元の端末装置２０２の識別情報であってもよい。また、設定元の識別情報は、アクセス元の識別情報と同様に、設定元の端末装置２０２を利用するユーザの氏名情報であってもよいし、設定元の端末装置２０２の識別情報であってもよい。ここでは、アクセス元の識別情報と設定元の識別情報とは同じであるため、アクセス元の識別情報を説明に用いる。アクセス元の端末装置２０２を利用するユーザは設定元の端末装置２０２を利用するユーザは、アクセス者とも称する。
【００５６】
アクセス者所属のフィールドには、社内のアクセス者の所属先の名称が設定される。図６の例では、アクセス者の所属先として、社内におけるアクセス者の所属する部門名が挙げられる。図２に示したように、システム２００が社内システムを例に挙げているため、アクセス者所属が部門名となっているが、これに限らず、アクセス者の所属先としては、例えば、会社名、学校名、学内のシステムにおけるクラス名や学年など、特に限定しない。最終アクセス日時のフィールドには、アクセス者が最後に取材記事にアクセスした日時が設定される。最終アクセス元ＩＰアドレスのフィールドには、アクセス者が最後に取材記事にアクセスした際のアクセス元の装置のＩＰアドレスが設定される。総滞在時間のフィールドには、アクセス者が取材記事にアクセスした合計のアクセス時間が設定される。アクセス回数のフィールドには、アクセス者が取材記事にアクセスした回数が設定される。
【００５７】
コラボ希望のフィールドには、取材記事に記載された社会課題に対する取り組みへの参加の希望の有無を示すフラグ情報が設定される。取材記事の表示画面には、例えば、取り組みに参加したいことを通知可能なコラボレーションの希望ボタンなどを設けてもよい。社内の人材は、例えば、画面上の希望ボタンを押下することにより取り組みに参加したい旨をシステム２００に対して通知することができる。コラボ希望が「あり」の場合、アクセス者がコラボレーションを希望することを示す。コラボ希望に「なし」が設定されていれば、アクセス者がコラボレーションを希望しないことを示す。このように、上述したように取材記事に記載された社会課題を解決するための取り組みに参加したい社内の人材からの希望を募る仕組みを実現する手段として、取材記事アクセス履歴ＤＢ６００には、コラボ希望のフィールドが設けられる。
【００５８】
関連記事アクセスのフィールドには、記事番号が示す取材記事に関連する取材記事にアクセス者がアクセスしているか否かを示す情報が設定される。関連記事は、例えば、図５に示した取材記事ＤＢ５００に含まれる関連記事番号によって特定される。関連記事アクセスが「あり」の場合、アクセス者は関連記事のいずれかにアクセスしたことを示す。関連記事アクセスが「なし」の場合、アクセス者は関連記事のいずれにもアクセスしていないことを示す。
【００５９】
図７は、取材先情報ＤＢ例を示す説明図である。取材先情報ＤＢ７００は、コンテンツに関する情報として、取材記事を作成するための取材に関する情報である。取材先情報ＤＢ７００は、取材番号、取材日、取材先名、エリア、取材対象者名、取材テーマ、取材担当者、取材同行者のフィールドを有する。
【００６０】
取材番号のフィールドには、取材の識別情報が設定される。取材日のフィールドには、取材を行う予定の日付又は取材を行った日付が設定される。取材先名のフィールドには、取材先の名称が設定される。エリアのフィールドには、取材先の位置を示す位置情報が設定される。位置情報としては、例えば、都道府県及び市区町村を挙げる。また、位置情報としては、経度や緯度などであってもよいが、特に限定しない。
【００６１】
取材対象者名のフィールドには、取材を行う対象者の名前が設定される。取材テーマのフィールドには、取材のテーマが設定される。取材担当者のフィールドには、取材を担当する編集部内の人材の識別情報としてその人材の名前が設定される。
【００６２】
取材同行者のフィールドには、取材同行候補者又は実際に取材に同行した同行者の識別情報が設定される。さらに、取材同行者のフィールドには、取材同行候補者又は同行者に対応づけて、取材への同行の希望を示す情報が設定される。取材への同行の希望を示す情報として、取材同行候補者の識別情報である名前に対応づけて（  ）内に「希望」又は「辞退」が設定される。取材同行候補者の名前に対応づけて「（希望）」が設定されている場合、取材同行候補者が、取材への同行を希望していることを示す。取材同行候補者の名前に対応づけて「（辞退）」が設定されている場合、取材同行候補者が、取材への同行を希望していないことを示す。
【００６３】
取材先情報７０１−ｍのように新たに登録される場合、取材同行者のフィールドには情報が設定されていない。端末装置２０１が、後述する処理を行うことにより、取材同行者のフィールドに情報が設定される。
【００６４】
図８は、エリアＩＰアドレスＤＢ例を示す説明図である。エリアＩＰアドレスＤＢ８００は、ＩＰアドレスから、住所などのエリアを特定するための情報である。エリアＩＰアドレスＤＢ８００は、ＩＰアドレス範囲、エリアのフィールドを有する。
【００６５】
ＩＰアドレス範囲のフィールドには、例えば、ＩＰアドレスの範囲が設定される。エリアのフィールドには、ＩＰアドレスの範囲によって特定可能な場所を示す情報が設定される。例えば、社内人材の端末装置のＩＰアドレスが、「１０．２８．ｘｘ．ｘｘｘ−１０．２８．ｘｘ．ｙｙｙ」に含まれていれば、端末装置２０１は、社内人材の端末装置は「神奈川県川崎市」にあると特定することができる。すなわち、端末装置２０１は、アクセス者の所在を特定することができる。
【００６６】
図９は、部門情報ＤＢ例を示す説明図である。部門情報ＤＢ９００は、社内の人材が所属する部門を示す情報を有する。部門情報ＤＢ９００は、部門、業務内容、所属従業員、役職のフィールドを有する。部門情報ＤＢ９００は、各フィールドに情報が設定されることにより、レコードが記憶される。
【００６７】
部門のフィールドには、社内に設けられた部門の名称が設定される。業務内容のフィールドには、部門で行われる業務の概略内容が設定される。所属従業員のフィールドには、部門に所属する従業員の名称が設定される。役職のフィールドには、部門における従業員の職務の名称が設定される。
【００６８】
部門情報ＤＢ９００によれば、端末装置２０１は、例えば、「富士通  六郎」が「イノベーション開発部」の「一般社員」であることを特定することができる。また、部門情報ＤＢ９００によれば、端末装置２０１は、「富士通  六郎」が所属する部門の部長が「富士通  太郎」であり、「富士通  六郎」が所属する部門の課長が「富士通  一郎」であることを特定することができる。
【００６９】
図１０は、フィードバック情報ＤＢ例を示す説明図である。フィードバック情報ＤＢ１０００は、取材番号、取材日、取材同行者、取材結果の業務への活用状況有無、取材結果の業務への活用内容、推薦する取材同行者のフィールドを有する。フィードバック情報ＤＢ１０００は、各フィールドに情報が設定されることにより、フィードバック情報（例えば、１００１−１〜１００１−３など）がレコードとして記憶される。
【００７０】
取材番号のフィールドには、取材の識別情報が設定される。取材日のフィールドには、取材が行われた日付が設定される。取材同行者のフィールドには、取材に同行した社内人材の識別情報が設定される。図１０において社内人材の識別情報は社内人材の名前が設定されるが、これに限らず、社内人材の識別情報は、社員番号など社内人材を識別可能であればよい。
【００７１】
取材結果の業務への活用状況有無のフィールドには、社内人材が取材内容を活用したか否かを示す情報が設定される。取材結果の業務への活用状況有無のフィールドに「あり」が設定されると、社内人材が取材内容を活用したことを示す。取材結果の業務への活用状況有無のフィールドに「なし」が設定されると、社内人材が取材内容を活用していないことを示す。
【００７２】
取材結果の業務への活用内容のフィールドには、社内人材が取材内容を活用している場合に、具体的にどのように活用したかに関する文章が設定される。推薦する取材同行者のフィールドには、取材同行者を推薦する他の取材同行者の識別情報が設定される。
【００７３】
（所定の条件例）
つぎに、端末装置２０１が有する各種情報等の記憶内容について説明する。各種情報等は、例えば、図３に示した端末装置２０１のディスク３０５などの記憶装置により実現される。
【００７４】
図１１は、所定の条件情報例を示す説明図である。所定の条件情報は、所定の条件を示す情報である。所定の条件は、端末装置２０１がアクセス履歴情報及び／又はフラグ情報に基づいてアクセス元又はフラグ設定元のユーザ又は装置に関する情報を並び替える際に用いる条件である。また、所定の条件情報は、例えば、システム２００の開発者や端末装置２０１のユーザなどによって作成される。
【００７５】
所定の条件情報は、条件別に、優先順位、コラボ希望、総滞在時間、関連記事アクセス、関連記事滞在時間、共創発展性のフィールドを有する。優先順位は、所定条件情報に含まれる条件の優先順位である。番号が小さいほど、優先順位が高いことを示す。
【００７６】
コラボ希望、総滞在時間、関連記事アクセス、関連記事滞在時間のフィールドには、「○」又は「×」が設定される。
【００７７】
コラボ希望のフィールドには、条件におけるコラボ希望の有無が設定される。図１１において、コラボ希望が「○」であれば、条件には、コラボ希望の「希望あり」であることを含むことを示す。コラボ希望が「×」であれば、条件には、コラボ希望の「希望あり」であることを含まないことを示す。
【００７８】
総滞在時間のフィールドには、総滞在時間が所定時間以上であるか否かが設定される。総滞在時間が「○」であれば、条件には、総滞在時間が所定時間以上であることが含まれることを示す。所定時間は、例えばシステム２００の開発者によって定められる。所定時間は、例えば、平均的な総滞在時間に基づいて定められてもよいし、特に限定しない。総滞在時間が「×」であれば、条件には、総滞在時間が所定時間以上であることが含まれないことを示す。
【００７９】
関連記事アクセスのフィールドには、関連記事へのアクセスがあるか否かが設定される。関連記事アクセスが「○」であれば、条件には、関連記事へのアクセスがあることが含まれることを示す。関連記事アクセスが「×」であれば、条件には、関連記事へのアクセスがあることが含まれないことを示す。
【００８０】
関連記事滞在時間のフィールドには、関連記事へのアクセスの時間が所定時間以上であるか否かが設定される。関連記事滞在時間が「○」であれば、条件には、関連記事滞在時間が所定時間以上であることが含まれることを示す。関連記事滞在時間が「×」であれば、条件には、関連記事滞在時間が所定時間以上であることが含まれないことを示す。所定時間は、例えばシステム２００の開発者によって定められる。ここでの所定時間は、総滞在時間に関する所定時間と同一であってもよいし、異なる時間であってもよく、特に限定しない。
【００８１】
共創発展性のフィールドには、条件に該当するアクセス者について新たな取材に関連する社会課題に対する共創の発展性の高さを示す情報が設定される。共創発展性が「高」であれば、条件に該当するアクセス者は、新たな取材に関連する社会課題に対する共創の発展性が高いと推定されたことを示す。共創発展性が「中」であれば、条件に該当するアクセス者は、新たな取材に関連する社会課題に対する共創の発展性が高くも低くもないと推定されたことを示す。共創発展性が「低」であれば、条件に該当するアクセス者は、新たな取材に関連する社会課題に対する共創の発展性が低いと推定されたことを示す。
【００８２】
（端末装置２０１の機能的構成例）
図１２は、端末装置の機能的構成例を示すブロック図である。端末装置２０１は、受付部１２０１、特定部１２０２と、取得部１２０３と、決定部１２０４と、抽出部１２０５と、出力部１２０６と、を有する。受付部１２０１から出力部１２０６までの制御部１２００の処理は、例えば、図３に示すＣＰＵ３０１がアクセス可能なＲＯＭ３０２、ＲＡＭ３０３、ディスク３０５などの記憶装置に記憶されたプログラムにコーディングされている。そして、ＣＰＵ３０１が記憶装置から該プログラムを読み出して、プログラムにコーディングされている処理を実行する。これにより、制御部１２００の処理が実現される。また、制御部１２００の処理結果は、例えば、ＲＡＭ３０３、ＲＯＭ３０２、ディスク３０５などの記憶装置に記憶される。
【００８３】
受付部１２０１は、コンテンツに関する情報の入力を受け付ける。具体的には、受付部１２０１は、例えば、端末装置２０１のユーザによるキーボード３０７やマウス３０８などの操作入力を受け付ける。本実施の形態では、コンテンツとして、Ｗｅｂ上に公開される取材記事を例に挙げる。取材記事は、取材を基に作成される。コンテンツに関する情報は、例えば、取材記事の基となる取材に関する情報である。
【００８４】
より具体的には、端末装置２０１のユーザは、例えば、新たに取材記事を作成するために取材を行う前に、コンテンツに関する情報として、取材日、取材先名、取材対象者名、取材テーマ、取材担当者などの情報を端末装置２０１に対して入力する。受付部１２０１は、例えば、取材日、取材先名、取材対象者名、取材テーマ、取材担当者などの情報の入力を受け付ける。そして、受付部１２０１は、取材先情報ＤＢ７００に、受け付けた各情報を設定することにより取材同行者が未設定の取材先情報７０１を生成する。ここでは、取材先情報７０１−３が生成される例について説明する。
【００８５】
特定部１２０２は、サーバ２１１の各種ＤＢを参照して、受け付けたコンテンツに関する情報と類似するコンテンツに関する情報と対応づけられたコンテンツを特定する。具体的には、特定部１２０２は、コンテンツの識別情報を特定する。上述例では、特定部１２０２は、コンテンツの識別情報として取材情報５０１に含まれる記事番号を特定する。
【００８６】
具体的には、特定部１２０２は、例えば、取材記事ＤＢ５００を参照して、取材先情報７０１−ｍに設定された名称やキーワードと同一の名称やキーワードが記事タイトルや記事本文のフィールドに最も多く含まれる取材情報５０１の記事番号を特定する。取材先情報７０１−ｍに設定された名称やキーワードとは、取材先情報７０１−ｍの取材先名、取材対象者名、取材テーマの各フィールドに設定された情報である。特定部１２０２は、取材記事ＤＢ５００から、取材先情報７０１−ｍに含まれる「□□□大学工学部」、「◆◆◆教授」、「ヘッドマウントディスプレイを使ったアプリ開発」などの一部の文字列を含む取材情報５０１−３の記事番号「ＲＥＰ００３」を特定する。
【００８７】
取得部１２０３は、特定部１２０２によって特定されたコンテンツに対するアクセス履歴情報及び／又はフラグ情報をサーバ２１１から取得する。
【００８８】
具体的には、取得部１２０３は、例えば、取材記事アクセス履歴ＤＢ６００から、特定部１２０２によって特定された記事番号を有する履歴情報６０１を取得する。上述した取材先情報７０１−ｍを例に挙げると、取得部１２０３は、特定された記事番号「ＲＥＰ００３」を有する履歴情報６０１−３〜６０１−６を取得する。
【００８９】
つぎに、出力部１２０６は、取得部１２０３によって取得されたアクセス履歴情報及び／又はフラグ情報に基づいてアクセス元又はフラグ設定元のユーザ又は装置に関する情報を出力する。アクセス元又はフラグ設定元のユーザ又は装置に関する情報として、上述した履歴情報６０１に含まれるアクセス者（アクセス元のユーザの識別情報）が出力される。
【００９０】
具体的には、出力部１２０６は、例えば、取得部１２０３によって取得された履歴情報６０１−３〜６０１−６に含まれるアクセス者を出力する。例えば、出力部１２０６は、アクセス者として、「富士通  三郎」、「富士通  五郎」、「富士通  六郎」、「富士通  司郎」を出力する。出力部１２０６は、例えば、アクセス者を取材同行候補者として、取材先情報７０１の取材同行者に登録する。又は、出力部１２０６は、アクセス者を取材同行候補者としてディスプレイ３０９などを用いて画面に出力してもよい。また、出力部１２０６は、アクセス者に、取材同行候補者として選ばれたことを通知してもよい。通知方法としては、ｅメールであってもよいし、Ｗｅｂ上に取材情報に関連付けて公開してもよい。
【００９１】
また、取得部１２０３によって取得された履歴情報６０１が多いと、端末装置２０１のユーザが、取材同行候補者から取材同行者を選定することが難しい。そこで、出力部１２０６は、履歴情報６０１に含まれるアクセス元又はフラグ設定元のユーザ又は装置に関する情報を、所定の条件に基づく順序で出力する。ここでは、所定の条件に基づく順序は、決定部１２０４によって決定される。具体的には、決定部１２０４は、例えば、所定の条件情報１１００に基づいて、取得部１２０３によって取得された履歴情報６０１に含まれるアクセス者に優先順位を付けて順番に並べる。これにより、情報処理装置１００は、端末装置２０１のユーザに選定基準を提供することができる。
【００９２】
所定の条件情報１１００によれば、コラボ希望が「あり」であり、総滞在時間が、例えば所定時間「３０分」以上であり、関連記事アクセスが「あり」であり、関連記事滞在時間が、例えば所定時間「２０分」以上であるアクセス者が最も優先順位が高くなる。例えば、「富士通  三郎」と「富士通  六郎」とが条件に該当するため、優先順位が高くなる。決定部１２０４は、「富士通  三郎」は「富士通  六郎」よりも総滞在時間が長いため、「富士通  三郎」の優先順位を「富士通  六郎」よりも高くする。また、「富士通  五郎」及び「富士通  司朗」は、総滞在時間が例えば所定時間「３０分」未満であり、関連記事滞在時間が、例えば所定時間「２０分」未満であり、関連記事アクセスが「なし」である。ただし、「富士通  五郎」は、コラボ希望が「あり」であるのに対して、「富士通  司朗」は、コラボ希望が「なし」である。そこで、決定部１２０４は、「富士通  五郎」の優先順位を「富士通  司朗」よりも高くする。
【００９３】
このように、決定部１２０４は、例えば、優先順位を、１番目が「富士通  三郎」、２番目が「富士通  六郎」、３番目が「富士通  五郎」、４番目が「富士通  司郎」に決定する。そして、決定部１２０４は、優先順位に基づきアクセス者を並べる。そして、出力部１２０６は、決定部１２０４によって並べられたアクセス者の順番に、履歴情報６０１に含まれるアクセス者を出力する。
【００９４】
また、出力部１２０６は、例えば、取得された履歴情報６０１のうち、決定部１２０４によって決定された順番が所定番以内の履歴情報６０１に含まれるアクセス者を出力してもよい。例えば、所定番を２とし、出力部１２０６は、例えば、１番目と２番目の「富士通  三郎」及び「富士通  六郎」を出力する。
【００９５】
これにより、端末装置２０１は、過去の取材記事のアクセス履歴によって、新しい取材先に同行する社内人材を共創の可能性が高い順に優先順位を付けて出力することができる。そして、端末装置２０１は、将来的に取材結果をフィードバックして社会課題に対して取り組む可能性の高い人材を取材同行候補者として選定することができる。したがって、端末装置２０１は、編集部による取材同行者の選定の容易化を図ることができる。
【００９６】
なお、出力部１２０６によって所定番以内の履歴情報６０１に含まれるアクセス者を取材同行候補者として出力させた例については、図１３を用いて後述する。
【００９７】
つぎに、端末装置２０１が、取得された履歴情報６０１に基づいて、さらに取材同行候補者を抽出する例を３つ説明する。１つ目として、アクセス者の勤務地が取材場所に近い取材同行候補者を抽出する例について説明する。２つ目として、優先度が高い取材同行候補者と同じ部署の幹部社員も取材同行候補者として抽出する例について説明する。３つ目として、過去の取材同行者のフィードバック情報に基づいて取材同行候補者を抽出する例について説明する。
【００９８】
まず、１つ目の例について説明する。アクセス履歴情報及びフラグ情報である履歴情報６０１は、アクセス元のユーザ又は装置の位置を示す位置情報又はフラグ設定元のユーザ又は装置の位置を示す位置情報を含む。上述したように、履歴情報６０１には、位置情報をとして、アクセス元のＩＰアドレスが設定される。
【００９９】
抽出部１２０５は、例えば、取得された履歴情報６０１のうち、受け付けたコンテンツに関する情報に含まれる位置情報が示す位置と同じ位置を示す位置情報を有する履歴情報６０１を抽出する。また、抽出部１２０５は、受け付けたコンテンツに関する情報に含まれる位置情報が示す位置の近傍を示す位置情報を有する履歴情報６０１を抽出する。
【０１００】
具体的には、抽出部１２０５は、例えば、取得された履歴情報６０１に含まれるＩＰアドレスと、エリアＩＰアドレスＤＢ８００と、に基づいて、履歴情報６０１に含まれるアクセス者の所在を示すエリアを抽出する。また、抽出部１２０５による処理対象となる履歴情報６０１は、決定部１２０４によって並べられた順番が所定数以内の履歴情報６０１などのように予め限定してもよい。ここでは、２番目以内の履歴情報６０１−４と履歴情報６０１−５とを処理対象として説明する。履歴情報６０１−４の「富士通  六郎」のエリアは、エリアＩＰアドレスＤＢ８００に登録されていないエリアである。履歴情報６０１−５の「富士通  三郎」のエリアは、「東京都大田区」である。
【０１０１】
そして、抽出部１２０５は、例えば、特定したエリアと、取材先情報７０１に含まれるエリアと、が同一である履歴情報６０１のアクセス者を抽出する。取材先情報７０１−ｍに含まれるエリアが「東京都大田区」である。このため、抽出部１２０５は、「富士通  三郎」を抽出する。出力部１２０６は、抽出したアクセス者を優先的に出力する。これにより、勤務地が取材場所に近い人材が同行候補者として選定される。したがって、勤務地から取材場所への移動が容易な人材が優先的に候補者として選定されることにより、編集部は、取材に同行する可能性が高い人材を候補者として選定することができる。優先的に出力する処理として、出力部１２０６は、取得された履歴情報６０１に含まれるアクセス者のうち抽出したアクセス者を表示してもよい。又は、出力部１２０６は、例えば、抽出した候補者を強調して表示してもよい。強調表示とは、例えば、抽出したアクセス者の文字列を他のアクセス者よりも大きな文字で表示させたり、マーカや下線を付したり、色を変更して表示させることである。
【０１０２】
なお、所定番以内の履歴情報６０１に含まれるアクセス者から、ＩＰアドレスによって特定される勤務地が取材場所に近いアクセス者を優先的に取材同行候補者として出力させる出力例については、図１４を用いて後述する。
【０１０３】
つぎに、取得された履歴情報６０１に基づいて取材同行候補者を抽出する２つ目の例について説明する。優先度が高い取材同行候補者と同じ部署の人材も取材同行候補者として抽出する例について説明する。
【０１０４】
上述したように、部門情報ＤＢ９００には、複数のユーザの各々のユーザについて、ユーザ又はユーザの装置に関する情報と、ユーザの所属先に関する情報と、が対応づけられて記憶される。抽出部１２０５は、部門情報ＤＢ９００を参照して、アクセス元又はフラグ設定元のユーザ又は装置に関する情報に対応づけられた所属先に関する情報と同一の所属先に関する情報に対応づけられたユーザ又はユーザの装置に関する情報を抽出する。具体的には、抽出部１２０５は、例えば、部門情報ＤＢ９００を参照して、取得された履歴情報６０１に含まれるアクセス者所属と同じアクセス者所属の所属従業員を抽出する。
【０１０５】
また、部門情報ＤＢ９００には、さらに、ユーザ又はユーザの装置に関する情報に対応づけて所属先におけるユーザの役職に関する情報が記憶される。抽出部１２０５は、上述した同一の所属先に関する情報に対応づけられたユーザ又はユーザの装置に関する情報のうち、所定の役職に関する情報に対応づけられたユーザ又は装置に関する情報を抽出する。具体的には、抽出部１２０５は、例えば、部門情報ＤＢ９００を参照して、取得された履歴情報６０１に含まれるアクセス者所属と同じアクセス者所属の所属従業員のうち、役職が「部長」又は「課長」である所属従業員を抽出する。ここでは、優先順位が２番目以内の履歴情報６０１−４と履歴情報６０１−５とを処理対象として説明する。例えば、履歴情報６０１−４のアクセス者所属「イノベーション開発部」における役職が「課長」又は「部長」の所属従業員は、「富士通  太郎」、「富士通  一郎」である。また、例えば、履歴情報６０１−５のアクセス者所属「Ｗｅｂ開発部」における役職が「課長」又は「部長」の所属従業員は、「富士通  司郎」である。出力部１２０６は、取得された履歴情報６０１に含まれるアクセス者と、抽出された所属従業員と、を出力する。ここでは、「富士通  三郎」、「富士通  六郎」、「富士通  司郎」、「富士通  太郎」、「富士通  一郎」が出力される。
【０１０６】
これにより、端末装置２０１は、人材が所属する部署の幹部社員を取材同行者として選定することができる。したがって、取材に対する相談や取材後の取材内容の業務への活用を図ることができ、取材を通じた共創の可能性の向上を図ることができる。
【０１０７】
なお、所定番以内の履歴情報６０１に含まれるアクセス者と、このアクセス者の所属部門の上司と、取材同行候補者として出力させる出力例については、図１３を用いて後述する。
【０１０８】
また、抽出部１２０５は、例えば、取得された履歴情報６０１から、アクセス者所属の名称に所定の文字列が含まれている履歴情報６０１を抽出してもよい。「イノベーション」などのように、新規ビジネス創出やイノベーション創出に関わる文字列を予め所定の文字列としてＲＯＭ３０２やディスク３０５などの記憶装置に記憶させておく。また、抽出部１２０５は、例えば、部門情報ＤＢ９００を参照して、取得された履歴情報６０１のアクセス者所属に対応する部門の業務内容に所定の文字列が含まれている履歴情報６０１を抽出してもよい。
【０１０９】
これにより、端末装置２０１は、取材内容と業務内容とが近い部署の人材を取材同行者として選定することができ、取材を通じた共創の可能性の向上を図ることができる。
【０１１０】
そして、取得された履歴情報６０１に基づいて取材同行候補者を抽出する３つ目の例について説明する。過去の取材同行者のフィードバック情報に基づいて取材同行候補者を抽出する例について説明する。フィードバック情報ＤＢ１０００には、コンテンツに関係するユーザ又はユーザの装置に関する情報に、ユーザによるコンテンツの活用の有無を示す活用情報が対応づけられて記憶される。図１０の例では、活用情報は、例えば、取材結果の業務への活用状況有無のフィールドに設定される情報や推薦する取材同行者のフィールドに設定される情報である。抽出部１２０５は、特定されたコンテンツに対応するコンテンツに関する情報に関連付けられたユーザ又は装置に関する情報のうち、特定されたコンテンツを活用していることを示す活用情報に対応づけられたユーザ又は装置に関する情報を抽出する。
【０１１１】
ここで、取材同行者は、予め取材後に、端末装置２０２によって、取材後の業務への活用状況などをフィードバック情報ＤＢ１０００に登録する。また、取材同行者は、他の取材同行者について取材結果の業務への活用状況の有無を評価する。そして、取材同行者は、他の取材同行者について活用状況があると評価した場合、フィードバック情報ＤＢ１０００に他の取材同行者の推薦を登録する。推薦を登録するとは、他の取材同行者を含むフィードバック情報１００１に含まれる推薦する取材同行者のフィールドに取材同行者の自身の名前を登録することを示す。
【０１１２】
具体的には、抽出部１２０５は、例えば、フィードバック情報ＤＢ１０００を参照して、取得された履歴情報６０１から、過去に取材同行者から推薦を受けているアクセス者を含む履歴情報６０１を抽出する。抽出部１２０５は、例えば、履歴情報６０１に含まれるアクセス者が取材同行者として設定されたフィードバック情報１００１を検索する。そして、抽出部１２０５は、検出したフィードバック情報１００１に推薦する取材同行者が設定されている履歴情報６０１を抽出する。なお、抽出部１２０５は、推薦する取材同行者が設定されていない履歴情報６０１やフィードバック情報１００１が検出できない履歴情報６０１を抽出しない。
【０１１３】
ここでは、優先順位が２番目以内の履歴情報６０１−４と履歴情報６０１−５とを処理対象として説明する。履歴情報６０１−５に含まれるアクセス者「富士通  六郎」が取材同行者として設定されたフィードバック情報１００１がないため、抽出部１２０５は、履歴情報６０１−４を抽出しない。履歴情報６０１−５に含まれるアクセス者「富士通  三郎」が取材同行者として設定されたフィードバック情報１００１−２には、推薦する取材同行者として「富士通  一郎」が設定されてある。このため、抽出部１２０５は、履歴情報６０１−５を抽出する。
【０１１４】
また、抽出部１２０５は、フィードバック情報ＤＢ１０００を参照して、取得された履歴情報６０１から、取材結果の業務への活用状況有無が「あり」であるアクセス者を含む履歴情報６０１を抽出する。抽出部１２０５は、例えば、履歴情報６０１に含まれるアクセス者が取材同行者として設定されたフィードバック情報１００１を検索する。そして、抽出部１２０５は、検出したフィードバック情報１００１に取材結果の業務への活用状況有無に「あり」が設定されている履歴情報６０１を抽出する。なお、抽出部１２０５は、取材結果の業務への活用状況有無に「なし」が設定されている履歴情報６０１やフィードバック情報１００１が検出できない履歴情報６０１を抽出しない。
【０１１５】
ここでは、優先順位が２番目以内の履歴情報６０１−４と履歴情報６０１−５とを処理対象として説明する。履歴情報６０１−４に含まれるアクセス者「富士通  六郎」が取材同行者として設定されたフィードバック情報１００１がないため、抽出部１２０５は、履歴情報６０１−４を抽出しない。履歴情報６０１−５に含まれるアクセス者「富士通  三郎」が取材同行者として設定されたフィードバック情報１００１−２には、取材結果の業務への活用状況有無に「あり」が設定されてある。このため、抽出部１２０５は、履歴情報６０１−５を抽出する。
【０１１６】
このように、端末装置２０１が、過去の取材結果に基づいて、取材同行者を選定することにより、取材経験を業務に生かせる人材が取材同行者として選定される。
【０１１７】
図１３は、取材同行候補者の出力例を示す説明図である。ここでは、上述した出力部１２０６が、取得部１２０３によって取得された履歴情報６０１に含まれるアクセス者を取材同行候補者として出力する例について説明する。
【０１１８】
出力部１２０６は、取材先情報７０１−ｍの取材同行者のフィールドに、優先度が２番以内の履歴情報６０１−４，６０１−５に含まれるアクセス者「富士通  六郎」，「富士通  三郎」を設定する。
【０１１９】
そして、出力部１２０６は、例えば、新たな取材先情報７０１−ｍに含まれる取材同行候補者が選ばれていることを示す画面を社内人材の端末装置２０２のディスプレイ３０９などに表示する制御を行う。画面は、例えば、社内人材の端末装置２０２が閲覧可能なＷｅｂページの画面であってもよい。また、画面は、出力部１２０６によって同行候補者に通知されたｅメールの表示画面などであってもよい。
【０１２０】
また、出力部１２０６は、取材同行候補者から受け付けた取材同行の「辞退」や「希望」を取材先情報７０１に設定された取材同行者に関連付けて出力する。図１３の例では、出力部１２０６は、「辞退」や「希望」を各取材同行候補者の名称の後ろの（  ）内に設定する。図１３に示す取材先情報７０１−ｍでは、アクセス者「富士通  三郎」は取材同行を辞退していることを示し、「富士通  六郎」は取材同行を希望していることを示す。
【０１２１】
（端末装置２０１が行う処理手順例）
図１４は、端末装置が行う処理手順例を示すフローチャートである。端末装置２０１は、取材先情報７０１を取材先情報ＤＢ７００に登録する（ステップＳ１４０１）。ステップＳ１４０１において、端末装置２０１は、「取材日」、「取材先名」、「エリア」、「取材対象者名」、「取材テーマ」、「取材担当者」の入力を受け付けることにより、取材同行者が空の取材先情報７０１を取材先情報ＤＢ７００に登録する。上述した例では、ステップＳ１４０１において、端末装置２０１は、取材先情報７０１−ｍを取材先情報ＤＢ７００に登録する。
【０１２２】
つぎに、端末装置２０１は、登録した「取材先名」「取材対象者」「取材テーマ」に含まれる名称やキーワードと同一の名称やキーワードが「記事タイトル」「記事本文」に最も多く含まれる記事番号を取材記事ＤＢ５００から特定する（ステップＳ１４０２）。上述した例では、ステップＳ１４０２において、端末装置２０１は、取材先情報７０１−ｍに設定した名称やキーワードと類似する名称やキーワードを有する記事番号として、取材記事ＤＢ５００から記事番号「ＲＥＰ００３」を特定する。
【０１２３】
そして、端末装置２０１は、記事番号を含む履歴情報６０１を取材記事アクセス履歴ＤＢ６００から取得する（ステップＳ１４０３）。上述した例では、ステップＳ１４０３において、端末装置２０１は、記事番号「ＲＥＰ００３」を含む履歴情報６０１−３〜６０１−６を取得する。
【０１２４】
つぎに、端末装置２０１は、取得した履歴情報６０１に含まれるアクセス者を所定の条件で優先順位付けを行い並べ替える（ステップＳ１４０４）。所定の条件は、所定の条件情報１１００に記載されてある。上述した例では、ステップＳ１４０４において、端末装置２０１は、例えば、優先順位を、１番目が「富士通  三郎」、２番目が「富士通  六郎」、３番目が「富士通  五郎」、４番目が「富士通  司郎」に決定して並べ替える。
【０１２５】
つぎに、端末装置２０１は、優先順位で並べ替えを行ったアクセス者を取材同行候補者リストとして出力し（ステップＳ１４０５）、一連の処理を終了する。ステップＳ１４０５において、端末装置２０１は、例えば、取材先情報７０１−ｍの取材同行者のフィールドに、並べ替えた順番に設定する。また、端末装置２０１は、例えば、並び替えた順番にアクセス者をディスプレイ３０９などの画面に出力する。
【０１２６】
つぎに、図１５〜図１７を用いて、図１４に示したステップＳ１４０４における処理の後に、取材同行候補者を抽出する抽出処理と、抽出処理後に行うステップＳ１４０５における処理の詳細について説明する。図１５では、上述した勤務地が取材場所に近い取材同行候補者を抽出する例について説明する。図１６では、上述した優先度が高い取材同行候補者と同じ部署の幹部社員も取材同行候補者として抽出する例について説明する。図１７では、上述した過去の取材同行者のフィードバック情報に基づいて取材同行候補者を抽出する例について説明する。
【０１２７】
図１５は、端末装置による抽出及び出力処理手順例１を示すフローチャートである。端末装置２０１は、取材記事アクセス履歴ＤＢ６００を参照して、各取材同行候補者の最終アクセス元ＩＰアドレスを取得する（ステップＳ１５０１）。エリアＩＰアドレスＤＢ８００を参照して、取得したＩＰアドレスのエリアを取得する（ステップＳ１５０２）。ステップＳ１５０１において、取材同行候補者は、上述したステップＳ１４０４において付された優先順位が所定番以内のアクセス者に限定してもよい。上述した例では、ステップＳ１５０２において、端末装置２０１は、「富士通  三郎」のエリアとして、「東京都大田区」を取得する。また、ステップＳ１５０２において、端末装置２０１は、「富士通  六郎」のエリアがエリアＩＰアドレスＤＢ８００に登録されていないため、取得できない。
【０１２８】
つぎに、端末装置２０１は、取得したエリアが対象の取材先情報７０１のエリアと同じ取材同行候補者を抽出する（ステップＳ１５０３）。上述した例では、ステップＳ１５０３において、取材先情報７０１−ｍのエリアが「東京都大田区」であるため、端末装置２０１は、「富士通  三郎」のエリアが「東京都大田区」であるため、「富士通  三郎」を抽出する。
【０１２９】
そして、端末装置２０１は、抽出した取材同行候補者を優先的に表示し（ステップＳ１５０４）、一連の処理を終了する。ステップＳ１５０４において、端末装置２０１は、例えば、ディスプレイ３０９などの画面に、取材同行候補者を表示する際に、抽出した取材同行候補者を抽出していない取材同行候補者よりも強調表示する。
【０１３０】
図１６は、端末装置による抽出及び出力処理手順例２を示すフローチャートである。端末装置２０１は、未処理の取材同行候補者を選択する（ステップＳ１６０１）。ここで、取材同行候補者を選択するとは、取材同行候補者の識別情報を選択することを示す。処理対象となる取材同行候補者は、優先順位が所定番以内のアクセス者とする。上述例では、「富士通  三郎」と「富士通  六郎」が取材同行候補者となる。
【０１３１】
つぎに、端末装置２０１は、部門情報ＤＢ９００を参照して、取材同行候補者の所属部門の業務内容を取得する（ステップＳ１６０２）。
【０１３２】
端末装置２０１は、取得した業務内容や部門名に新規ビジネスやイノベーションといったキーワードが含まれているか否かを判断する（ステップＳ１６０３）。部門情報ＤＢ９００によれば、「富士通  三郎」の所属部門は「Ｗｅｂ開発部」である。「富士通  六郎」の所属部門は「イノベーション開発部」である。端末装置２０１は、「富士通  三郎」の所属部門の部門名や業務内容にキーワードが含まれていないと判断する。端末装置２０１は、「富士通  六郎」の所属部門の部門名や業務内容には、イノベーションという文字列が含まれていると判断する。
【０１３３】
キーワードが含まれていると判断した場合（ステップＳ１６０３：Ｙｅｓ）、端末装置２０１は、ステップＳ１６０４へ移行する。そして、端末装置２０１は、部門情報ＤＢ９００を参照して、選択した取材同行候補者と同じ部門の所属従業員で役職が管理職の従業員を取材同行候補者として抽出し（ステップＳ１６０４）、ステップＳ１６０５へ移行する。管理職の従業員とは、例えば役職が「課長」や「部長」などの従業員である。ステップＳ１６０４において、端末装置２０１は、「富士通  六郎」と所属部門が同じ所属従業員のうち、役職が「課長」である「富士通  一郎」と、役職が「部長」である「富士通  太郎」とを抽出する。
【０１３４】
キーワードが含まれていないと判断した場合（ステップＳ１６０３：Ｎｏ）、端末装置２０１は、未処理の取材同行候補者があるか否かを判断する（ステップＳ１６０５）。未処理の取材同行候補者があると判断した場合（ステップＳ１６０５：Ｙｅｓ）、端末装置２０１は、ステップＳ１６０１へ戻る。一方、未処理の取材同行候補者がないと判断した場合（ステップＳ１６０５：Ｎｏ）、端末装置２０１は、取材同行候補者と抽出した取材同行候補者を表示し（ステップＳ１６０６）、一連の処理を終了する。上述例では、ステップＳ１６０６において、端末装置２０１は、「富士通  三郎」と「富士通  六郎」と、「富士通  一郎」と、「富士通  太郎」とを表示する。
【０１３５】
図１７は、端末装置による抽出及び出力処理手順例３を示すフローチャートである。図１７では、端末装置２０１が、過去にアクセス者が取材に同行した際のフィードバック情報１００１に基づいて取材同行候補者を抽出する例について説明する。ここで、システム２００では、取材後に、取材同行者からの「取材結果の業務への活用状況」の入力を受け付けてフィードバック情報ＤＢ１０００に登録する。また、システム２００では、他の取材同行者からの推薦の入力を受け付けてフィードバック情報ＤＢ１０００に登録する。このように、システム２００では、取材に対するフィードバックをフィードバック情報ＤＢ１０００に予め登録しておく。
【０１３６】
また、ここでは、端末装置２０１は、決定部１２０４によって決定された優先順位が所定番以内のアクセス者から取材同行候補者を抽出する。上述例では、優先順位が所定番以内のアクセス者として、「富士通  三郎」と「富士通  六郎」が挙げられる。
【０１３７】
端末装置２０１は、フィードバック情報ＤＢ１０００を参照して、過去の取材同行者から推薦を受けているアクセス者を取材同行候補者として抽出する（ステップＳ１７０１）。フィードバック情報１００１−２には、取材同行者のフィールドに「富士通  三郎」が設定されてある。また、フィードバック情報１００１−２には、推薦する取材同行候補者のフィールドに「富士通  一郎」が設定されてある。このため、端末装置２０１は、「富士通  三郎」は「富士通  一郎」から業務への活用がよい人材であるという推薦を受けていると判断する。そして、端末装置２０１は、「富士通  三郎」を取材同行候補者として抽出する。フィードバック情報ＤＢ１０００には、取材同行者のフィールドに「富士通  六郎」が設定されたフィードバック情報１００１がないため、端末装置２０１は、「富士通  六郎」を取材同行候補者として抽出しない。
【０１３８】
また、端末装置２０１は、フィードバック情報ＤＢ１０００を参照して、取材結果の業務への活用を行っている部署に所属するアクセス者を取材同行候補者として抽出する（ステップＳ１７０２）。フィードバック情報１００１−２には、取材結果の業務への活用状況有無のフィールドには「あり」が設定されているため、端末装置２０１は、「富士通  三郎」を抽出する。フィードバック情報ＤＢ１０００には、取材同行者のフィールドに「富士通  六郎」が設定されたフィードバック情報１００１がないため、端末装置２０１は、「富士通  六郎」を取材同行候補者として抽出しない。
【０１３９】
ステップＳ１７０１及びステップＳ１７０２のつぎに、端末装置２０１は、抽出した取材同行候補者を表示し（ステップＳ１７０３）、一連の処理を終了する。上述例では、端末装置２０１は、ディスプレイ３０９などの画面に「富士通  三郎」を表示する。
【０１４０】
以上説明したように、情報処理装置１００は、新たなコンテンツに関する情報に類似したコンテンツに関する情報に対応する過去のコンテンツに対するアクセス履歴又は／及びフラグ情報に基づいて、ユーザを出力する。これにより、新たなコンテンツに関連するユーザの候補者が特定でき、情報処理装置１００は、新たなコンテンツに関連するユーザの選定の容易化を図ることができる。情報処理装置１００が取材同行候補者を選定する場合を例に挙げると、ユーザは、例えば、コラボ希望などのフラグ設定や取材記事に対するアクセスを行うだけで、ユーザの個人的な希望を登録してもらうことができる。したがって、情報処理装置１００は、アンケートに回答するなどというような作業を各ユーザに行わせることなく、ユーザの個人的な希望などを簡単に得ることができる。
【０１４１】
また、情報処理装置１００は、候補者を出力する際に、優先順位を付けて出力する。情報処理装置１００は、選定者に選定基準を提供することにより、より選定者による選定の容易化を図ることができる。
【０１４２】
また、情報処理装置１００は、候補者の中で、コンテンツの生成に関する位置とユーザや装置の所在とが近い候補者を抽出し、抽出した候補者を強調して出力する。例えば、取材などのようにユーザに移動してもらう場合、取材先と候補者の所在とが近ければ、候補者が取材に行く可能性が高いため、情報処理装置１００は、例えば、候補者のうち、取材先への移動が容易な候補者を優先的に選定させることができる。
【０１４３】
また、情報処理装置１００は、ユーザ別にユーザの所属先を管理するデータベースから、候補者と同じ所属先のユーザを抽出し、抽出したユーザも候補者として出力する。これにより、情報処理装置１００は、候補者と同様な業務や学習を行うようなユーザも選定の候補者とすることができる。
【０１４４】
また、情報処理装置１００は、候補者と所属先が同じユーザのうち、所定の役職のユーザを抽出し、抽出したユーザも候補者として出力する。例えば、所定の役職として管理職が挙げられる。情報処理装置１００は、例えば、管理職などを候補者として選定することができる。候補者とその候補者を管理する管理職のユーザとが例えば、一緒に取材に同行すれば、候補者は、管理職のユーザに対して取材について相談することができ、取材後の取材内容を業務へ活用し易くなる。
【０１４５】
また、情報処理装置１００は、候補者から、過去の取材において取材内容を業務に活用しているような候補者を抽出し、抽出した候補者を強調して出力する。これにより、情報処理装置１００は、取材内容を業務に活かせる候補者を優先的に選定させることができる。
【０１４６】
なお、本実施の形態で説明した抽出方法は、予め用意された抽出プログラムをパーソナル・コンピュータやワークステーション等のコンピュータで実行することにより実現することができる。本抽出プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、抽出プログラムは、インターネット等のネットワークを介して配布してもよい。
【０１４７】
上述した実施の形態に関し、さらに以下の付記を開示する。
【０１４８】
（付記１）コンテンツに対応づけてコンテンツに関する情報と、該コンテンツに対するアクセス履歴情報及び／又はフラグ情報とを記憶部に記憶させ、
コンテンツに関する情報の入力を受け付け、
前記記憶部を参照して、受け付けた前記コンテンツに関する情報と類似するコンテンツに関する情報と対応づけられたコンテンツを特定して、特定した該コンテンツに対するアクセス履歴情報及び／又はフラグ情報を前記記憶部から取得し、
取得した前記アクセス履歴情報及び／又はフラグ情報に基づいてアクセス元又はフラグ設定元のユーザ又は装置に関する情報を出力する、
処理をコンピュータに実行させることを特徴とする抽出プログラム。
【０１４９】
（付記２）前記アクセス履歴情報は、前記コンテンツに対するアクセス元のユーザ又は装置に関する情報を含み、
前記フラグ情報は、前記コンテンツに対するフラグ設定元のユーザ又は装置に関する情報を含み、
前記アクセス元又はフラグ設定元のユーザ又は装置に関する情報を出力する処理では、
取得した前記アクセス履歴情報に含まれるアクセス元のユーザ又は装置に関する情報及び／又は取得した前記フラグ情報に含まれる前記アクセス元又はフラグ設定元のユーザ又は装置に関する情報を、所定の条件に基づく順序で出力する、
ことを特徴とする付記１に記載の抽出プログラム。
【０１５０】
（付記３）前記アクセス履歴情報は、前記アクセス元のユーザ又は装置の位置を示す位置情報を含み、
前記フラグ情報は、前記設定元のユーザ又は装置の位置を示す位置情報を含み、
受け付けた前記コンテンツに関する情報は、コンテンツの生成に関する位置を示す位置情報を含み、
前記コンピュータに、
取得した前記アクセス履歴情報及び／フラグ情報のうち、受け付けた前記コンテンツに関する情報に含まれる位置情報が示す位置と同じ位置、または前記位置情報が示す位置の近傍を示す位置情報を有する前記アクセス履歴情報及び／又はフラグ情報を抽出し、
抽出した前記アクセス履歴情報及び／又はフラグ情報に基づいて、前記アクセス元又はフラグ設定元のユーザ又は装置に関する情報を出力する、
処理を実行させることを特徴とする付記１又は２に記載の抽出プログラム。
【０１５１】
（付記４）前記記憶部には、
前記ユーザ又は前記ユーザの装置に関する情報と、前記ユーザの所属先に関する情報と、が対応づけられて記憶され、
前記コンピュータに、
前記記憶部を参照して、前記アクセス元又はフラグ設定元のユーザ又は装置に関する情報に対応づけられた所属先に関する情報と同一の所属先に関する情報に対応づけられた前記ユーザ又は前記ユーザの装置に関する情報を抽出する、
処理を実行させ、
前記アクセス元又はフラグ設定元のユーザ又は装置に関する情報を出力する処理では、
さらに、抽出した前記ユーザ又は前記ユーザの装置に関する情報を出力する、
ことを特徴とする付記１〜３のいずれか一つに記載の抽出プログラム。
【０１５２】
（付記５）前記記憶部には、
前記ユーザ又は前記ユーザの装置に関する情報と、前記ユーザの所属先に関する情報と、前記所属先における前記ユーザの役職に関する情報と、が対応づけられて記憶され、
前記ユーザ又はユーザの装置に関する情報を抽出する処理では、
前記同一の所属先に関する情報に対応づけられた前記ユーザ又は前記ユーザの装置に関する情報のうち、所定の役職に関する情報に対応づけられた前記ユーザ又は前記ユーザの装置に関する情報を抽出することを特徴とする付記４に記載の抽出プログラム。
【０１５３】
（付記６）前記記憶部には、
前記コンテンツに関する情報に対応するコンテンツに関係する前記ユーザ又は前記ユーザの装置に関する情報と、前記ユーザによる前記コンテンツの活用の有無を示す活用情報とが対応づけられて記憶され、
前記コンテンツに関する情報と、前記コンテンツに関係する前記ユーザ又は装置に関する情報とは関連付けられ、
前記コンピュータに、
前記記憶部を参照して、特定した前記コンテンツに対応する前記コンテンツに関する情報に関連付けられたユーザ又は装置に関する情報のうち、特定した前記コンテンツを活用していることを示す活用情報に対応づけられた前記ユーザ又は装置に関する情報を抽出する、
処理を実行させ、
前記アクセス元又はフラグ設定元のユーザ又は装置に関する情報を出力する処理では、
さらに、抽出した前記ユーザ又は装置に関する情報を出力する、
ことを特徴とする付記１〜５のいずれか一つに記載の抽出プログラム。
【０１５４】
（付記７）前記コンテンツに関する情報は、取材に関する情報であり、
前記コンテンツは、前記取材を基に作成された記事であることを特徴とする付記１〜６のいずれか一つに記載の抽出プログラム。
【０１５５】
（付記８）コンテンツに対応づけてコンテンツに関する情報と、該コンテンツに対するアクセス履歴情報及び／又はフラグ情報とを記憶部に記憶させ、
コンテンツに関する情報の入力を受け付け、
前記記憶部を参照して、受け付けた前記コンテンツに関する情報と類似するコンテンツに関する情報と対応づけられたコンテンツを特定して、特定した該コンテンツに対するアクセス履歴情報及び／又はフラグ情報を前記記憶部から取得し、
取得した前記アクセス履歴情報及び／又はフラグ情報に基づいてアクセス元又はフラグ設定元のユーザ又は装置に関する情報を出力する、
処理をコンピュータに実行させることを特徴とする抽出方法。
【０１５６】
（付記９）コンテンツに対応づけてコンテンツに関する情報と、該コンテンツに対するアクセス履歴情報及び／又はフラグ情報とを記憶部にアクセス可能な情報処理装置であって、
コンテンツに関する情報の入力を受け付け、
前記記憶部を参照して、受け付けた前記コンテンツに関する情報と類似するコンテンツに関する情報と対応づけられたコンテンツを特定して、特定した該コンテンツに対するアクセス履歴情報及び／又はフラグ情報を前記記憶部から取得し、
取得した前記アクセス履歴情報及び／又はフラグ情報に基づいてアクセス元又はフラグ設定元のユーザ又は装置に関する情報を出力する、
処理を実行する制御部を有することを特徴とする情報処理装置。
【符号の説明】
【０１５７】
１００  情報処理装置
１０１  記憶部
１１０  コンテンツ情報ＤＢ
１１１  コンテンツ情報
１２０  履歴ＤＢ
１２１，６０１  履歴情報
１３０  情報
２００  システム
２０１，２０２  端末装置
２１０  ネットワーク
２１１  サーバ
５００  取材記事ＤＢ
５０１  取材情報
６００  取材記事アクセス履歴ＤＢ
７００  取材先情報ＤＢ
７０１  取材先情報
８００  エリアＩＰアドレスＤＢ
９００  部門情報ＤＢ
１０００  フィードバック情報ＤＢ
１００１  フィードバック情報
１１００  所定の条件情報
１２００  制御部
１２０１  受付部
１２０２  特定部
１２０３  取得部
１２０４  決定部
１２０５  抽出部
１２０６  出力部
【図１】
2018072955.tif 000003
【図２】
2018072955.tif 000004
【図３】
2018072955.tif 000005
【図４】
2018072955.tif 000006
【図５】
2018072955.tif 000007
【図６】
2018072955.tif 000008
【図７】
2018072955.tif 000009
【図８】
2018072955.tif 000010
【図９】
2018072955.tif 000011
【図１０】
2018072955.tif 000012
【図１１】
2018072955.tif 000013
【図１２】
2018072955.tif 000014
【図１３】
2018072955.tif 000015
【図１４】
2018072955.tif 000016
【図１５】
2018072955.tif 000017
【図１６】
2018072955.tif 000018
【図１７】
2018072955.tif 000019